(57)【特許請求の範囲】
【請求項１】
座席、テーブル、クローゼット、戸棚、ステージ、カラオケ装置、演奏装置、及び、自然景観を立体的に摸した自然景観ユニットの群から選ばれる一種又は二種以上の客室装備用ユニットに取付具を設け、客室の床、壁又は天井に支持具を設け、前記取付具を支持具に対しレバーの傾動にて締付け得るレバー式締付具を前記取付具及び支持具とは別体に設け、前記取付具を支持具に対し前記レバー式締付具により締付固定することにより、客室装備用ユニットを客室に着脱可能に取付け、もって客室デザインの変更を行うことができるようにしたことを特徴とする客室デザイン可変式乗物。
【請求項２】
前記取付具が貫通孔を備えた取付プレートであり、前記支持具がスリットを備えた支持レール又は透孔を備えた支持プレートであり、前記レバー式締付具が、前記貫通孔と前記スリット又は透孔とに挿通する軸部と、該軸部の一端側に固定されて前記支持レール又は支持プレートに係止し得る係止部と、該軸部の他端側に傾動可能に軸着されて傾動前には前記係止部の係止を解除し傾動後には前記係止部の係止を行なわせるレバーとを備えたものである請求項１記載の客室デザイン可変式乗物。
【発明の詳細な説明】
【０００１】
【発明の属する技術分野】
本発明は、乗客を輸送するバス、鉄道車輌、航空機、船舶等の各種乗物であって、客室デザインの変更を可能にした乗物及びユニットを被取付物に着脱可能に取付ける金具に関するものである。
【０００２】
【従来の技術及び発明が解決しようとする課題】
従来の乗客を輸送する乗物の客室においては、床に多数の座席を所定の配列で取付けてなる機能重視の客室デザインが大多数であるが、一部には、カラオケルーム、洋風の応接室、和風の座敷等を作り上げてなるアメニティ重視の客室デザインも存在している。
【０００３】
しかし、アメニティ重視の客室デザインといっても、カラオケ装置、洋風テーブル、洋風絵画、和風テーブル、和風障子戸等の人工的な装備を取付けるものがほとんどであって、自然的な物としては、せいぜいが切り花を生けるくらいであったため、心の安らぎを感じにくいという問題があった。
【０００４】
また、機能重視の客室にしてもアメニティ重視の客室にしても、一旦その客室を形成してしまうと、その後で客室デザインを変更することは困難であり、あえて変更しようとすると新たに形成する以上に大変な手間が掛かっていた。
【０００５】
そこで、特開平４−２８７７６０号公報では、鉄道車輌において、客車の床に規則的に多数の穴をあけ、座席の底部に設けた突起を床の穴に位置決めして結合したり、あるいは、客車の床にガイド溝を設け、座席の底部に設けたガイドを床のガイド溝にかみ合わせたりすることにより、座席配置を使用目的に応じて変える技術が提案されている。また、客車の床に案内溝を設け、小部屋ユニットの底面に設けたガイドを床の案内溝に係合させることにより、客が求める個室を容易に形成できるようにした技術も提案されている。小部屋ユニットの内部には、理髪設備、ショッピング施設、シャワールーム、ステレオセット、会議室等が形成される。
【０００６】
ところが、客車の床に規則的に多数の穴をあけるという方法は、既存の乗物を大きく変更することになり非現実的である。一方、床にガイド溝を設けるという方法は、既存の乗物をあまり変更しないので現実的である。しかし、そのガイド溝に座席のガイドをかみ合わせただけでは固定力が無いので、何らかの固定手段が必要となるが、同公報にはその手段が開示されていない。ところで、観光バスにおいては、床に設けた支持レールに、座席の下部に設けた係合子を嵌合させ、さらにネジで締付固定しているため、この方法を利用することが考えられる。しかし、ネジで締付固定したりそれを外したりするのは、大変面倒であり、時間のかかる作業であった。
【０００７】
そこで、本発明の第一の目的は、心の安らぎを感じることができる自然景観を現実感のある立体的な状態で客室内に実現することができ、また、その解除又は変更を行うことができる客室デザイン可変式乗物を提供することにある。
また、本発明の第二の目的は、座席、テーブル、クローゼット、戸棚、ステージ、カラオケ装置、演奏装置、前記自然景観ユニット等の客室装備を、客室にワンタッチで取付けたり取外したりすることができ、もって客室デザインの変更を容易かつ迅速に行うことができる客室デザイン可変式乗物を提供することにある。
【０００８】
さらに、本発明の第三の目的は、ユニットを被取付物にワンタッチで取付けたり取外したりすることができるユニット取付用金具を提供することにある。
【００１３】
【課題を解決するための手段】
本発明に係る客室デザイン可変式乗物は、座席、テーブル、クローゼット、戸棚、ステージ、カラオケ装置、演奏装置、及び、自然景観を立体的に摸した自然景観ユニットの群から選ばれる一種又は二種以上の客室装備用ユニットに取付具を設け、客室の床、壁又は天井に支持具を設け、前記取付具を支持具に対しレバーの傾動にて締付け得るレバー式締付具を前記取付具及び支持具とは別体に設け、前記取付具を支持具に対し前記レバー式締付具により締付固定することにより、客室装備用ユニットを客室に着脱可能に取付け、もって客室デザインの変更を行うことができるようにしたことを特徴としている。
【００１４】
ここで、取付具、支持具及びレバー式締付具の一態様としては、取付具が貫通孔を備えた取付プレートであり、支持具がスリットを備えた支持レール又は透孔を備えた支持プレートであり、レバー式締付具が、貫通孔とスリット又は透孔とに挿通する軸部と、該軸部の一端側に固定されて前記支持レール又は支持プレートに係止し得る係止部と、該軸部の他端側に傾動可能に軸着されて傾動前には前記係止部の係止を解除し傾動後には前記係止部の係止を行なわせるレバーとを備えたものである態様を例示することができる。
【００１８】
【発明の実施の形態】
以下、本発明を客室デザイン可変式観光バスにおいて同時に具体化した実施形態例について、図面を参照して説明する。この観光バス１の客室の床は、既存の状態で、幅方向の左床部２Ｌ及び右床部２Ｒが座席取付部となっており、幅方向の中央床部２Ｍが通路用凹部となっている。そして、ここでは床の後半である後半床部２Ｈを一段高い高床部としている。３は後壁を、４は入口部を、５は運転席部を、それぞれ概略的に示している。そして、図１〜図５は、客室を自然景観を含む和風客室デザインに変更した状態を示し、図６及び図７は、客室をカラオケ装置等を含む洋風客室デザインに変更した状態を示し、図８〜図１４は、取付具、支持具及びレバー式締付具を示している。
【００１９】
まず、図１〜図５に示す和風客室デザインの場合、左床部２Ｌには前から順に、二組の二人掛け用背当傾倒式座席１０と、冷蔵庫、ポット、食器等を収納した戸棚１１とが取付けられ、右床部２Ｒには前から順に、クローゼット１２と、三組の二人掛け用背当傾倒式座席１０とが取付けられている。後半床部２Ｈには、二組の四人掛け用木製座席１３が対座形式に取付けられ、それらの間にはテーブル１４が取付けられている。なお、木製座席１３は、図５に示すように、後半床部２Ｈに埋設された支持枠１６の四角筒部１７に、木製座席１３の脚が嵌入することにより取付けられている。他の装備１０、１１、１２、１４等の取付構造については、図８〜図１４を使用して詳しく後述することにする。
【００２０】
後壁３の直前の左右部には、障子戸１５が取付けられ、後壁３の直前の中央部には、自然景観としての滝を立体的に摸した自然景観ユニットとしての滝ユニット２０が着脱可能に取付けられている。滝ユニット２０は、図３に示すように、岩肌斜面を摸して形成した斜面部２１と、斜面部２１の下方にあって水Ｗを貯溜するとともに斜面部２１から流れ落ちる水Ｗを受ける貯水器２２と、貯水器２２から水Ｗを組み上げるポンプ２３と、組み上げられた水Ｗを斜面部２１の上部の複数点から斜面部２１の前面に吐出する吐出部材２４と、斜面部２１の上部から水蒸気Ｖを噴霧する水蒸気噴霧器２５と、斜面部２１の前面上部を覆って隠す上部覆い２６と、斜面部２１の前面下部を覆って隠す下部覆い２７とからなり、同部に取付けられるより前にユニットとして組み立てられたものである。そして、取付け時には、車体の電源とポンプ２３及び水蒸気噴霧器２５とを電気的に結線するだけで済むようになっている。
【００２１】
滝ユニット２０の使用時には、ポンプ２３を作動させ、吐出部材２４から斜面部２１の全前面に水Ｗを流して自然景観としての滝を表現するとともに、水蒸気噴霧器２５を作動させ、斜面部２１の上部に水蒸気Ｖを噴霧して霧が立ち込めたように見せる。水Ｗは、滝ユニット２０内で、貯水器２２→ポンプ２３→吐出部材２４→斜面部２１→貯水器２２の順に循環する。斜面部２１の全前面が水Ｗで濡れることが好ましいが、それが難しい場合に備えて、斜面部２１の前面に艶有りの塗膜を形成し、水で濡れているように見せることが望ましい。また、滝ユニット２０に、自然音としての滝音を発生する発音装置を設けたり、自然芳香としての森林の香りを発生する発香装置を設けたりすることもできる。
【００２２】
中央床部２Ｍには、その通路用凹部を利用して、自然景観としての小川を立体的に摸した自然景観ユニットとしての小川ユニット３０が着脱可能に取付けられている。小川ユニット３０は、図４に示すように、幅方向両端のフランジ３１ａにおいて中央床部２Ｍの係止片６に載せられる容器３１と、容器３１内に配置された岩石を摸した岩石部３２及び実際の小石３３と、容器３１内の所々に金属線３４で支持された魚を摸した魚部３５と、容器３１内の所々（例えば岩石部３２）に設けた水蒸気Ｖを噴霧する水蒸気噴霧器３６及び種々の色の光を発生する発光器３７と、容器３１の下流側（前端側）に設けられたブロア３８と、容器３１に被せられた透明板３９とからなり、同部に取付けられるより前にユニットとして組み立てられたものである。そして、取付け時には、車体の電源と水蒸気噴霧器３６、発光器３７及びブロア３８とを電気的に結線するだけで済むようになっている。なお、フランジ３１ａと係止片６とは、要所でネジ止めされているだけので、そのネジによって小川ユニット３０は着脱自在である。また、容器３１と中央床部２Ｍとの間には空間７ができるようになっている。
【００２３】
小川ユニット３０の使用時には、水蒸気噴霧器３６を作動させ、容器３１内に斜め下流側（前側）に水蒸気Ｖを噴霧するとともに、ブロア３８を作動させ、その水蒸気Ｖを下流側へ吸引して水流のように見せ、容器３１外へ吸い出した水蒸気Ｖを前記空間７から上流側（後側）へ送り、容器３１の上流側に戻し入れるようにする。すなわち、水蒸気Ｖは、小川ユニット３０内で、水蒸気噴霧器３６→容器３１→ブロア３８→空間７→容器３１の順に循環する。また、発光器３７を作動させ、種々の色の光を発生させれば、特に夜間における見栄えが向上する。観光バスの走行時の加減速や舵切りにより車体が揺れると、金属線３４で支持された魚部３５が揺れ動いて本物のような感じを出すことができる。岩石部３２や小石３３に艶有りの塗膜を形成し、水で濡れているように見せることが望ましい。また、小川ユニット３０に、自然音としてのせせらぎ音を発生する発音装置を設けたり、自然芳香としての川辺の香りを発生する発香装置を設けたりすることもできる。
【００２４】
次に、図６及び図７に示す洋風客室デザインの場合、前記障子戸１５及び滝ユニット２０はその前に絵画パネル１８が取付けられて隠され、小川ユニット３０はその上にカーペット１９が敷かれて隠される。そして、左床部２Ｌには前から順に、ステージ台４０と、戸棚１１とが取付けられ、右床部２Ｒには前から順に、クローゼット１２と、ロングソファー４１と、テーブル４２と、クローゼット１２とが取付けられている。ステージ台４０には、キーボード演奏装置４３（又はカラオケ装置）と、スピーカ４４とが着脱可能に取付けられている。４８は簡易椅子（スツール）である。後半床部２Ｈには、四組の二人掛け用座席４５と三つの一人掛け用背当傾倒式４６とが対座形式に取付けられ、それらの間にはテーブル４７が取付けられている。
【００２５】
さて、上記の背当傾倒式座席１０、戸棚１１、クローゼット１２、テーブル１４、滝ユニット２０、ステージ台４０、ロングソファー４１、テーブル４２、座席４５、背当傾倒式４６及びテーブル４７の各客室装備用ユニットは、図８〜図１４に示すような取付具、支持具及びレバー式締付具よりなるユニット取付用金具４９によって客室に着脱可能に取付けられている。
【００２６】
すなわち、各客室装備用ユニットの下部フレーム５０には、取付具としての長方形の貫通孔５２を備えた取付プレート５１が固着されている。客室の左床部２Ｌ及び右床部２Ｒには、支持具としてのスリット５４を備えた支持レール５３と透孔５６を備えた支持プレート５５（図１４参照）とが設けられ、後半床部２Ｈには支持具としての透孔５６を備えた支持プレート５５が設けられている。レバー式締付具６０は、貫通孔５２とスリット５４又は透孔５６とに挿通する軸部６１と、該軸部６１の一端側に固定されて支持レール５３又は支持プレート５５に係止し得る長方形の係止部６２と、該軸部６１の他端側に傾動可能に軸着されて傾動前には前記係止部６２の係止を解除し傾動後には前記係止部６２の係止を行なわせるレバー６３とを備えている。
【００２７】
図８に示すように、レバー６３を起こした状態のレバー式締付具６０を取付プレート５１の上に宛い、係止部６２をその形状を貫通孔５２に合わせて該貫通孔５２にくぐらせてから、図９に示すように、レバー式締付具６０を９０度回し、係止部６２をその長手方向をスリット５４の向きに合わせて（貫通孔５２とは交差する）該スリット５４から支持レール５３の内部に入れる。続いて、図１０及び図１１に示すように、レバー式締付具６０を９０度回し、係止部６２をその長手方向をスリット５４に交差させる。このとき、係止部６２とスリット５４との間は係止せずに隙間がある。このとき取付プレート５１に当接するレバー６３の第一面６３ａからレバー６３の軸着中心６３ｃまでの距離が短く、係止部６２が支持レール５３内に深く入るからである。次に、図１２及び図１３に示すように、レバー６３を９０度傾動（傾倒）させると、係止部６２がスリット５４に係止して締付固定される。このとき取付プレート５１に当接するレバー６３の第二面６３ｂから軸着中心６３ｃまでの距離が長く、係止部６２が引き上げられるからである。
【００２８】
なお、レバー６３を手で傾動させるのに力がいる時のために、レバー６３の軸着部には六角部６４が設けられており、該六角部６４を治具で回して傾動させられるようになっている。図１４の取付プレート５１を支持プレート５５に締付固定する場合も、上記説明と同様である。
【００２９】
なお、本発明は前記実施形態に限定されるものではなく、例えば以下のように、発明の趣旨から逸脱しない範囲で適宜変更して具体化することもできる。
（１）各客室装備用ユニット１０、１１、１２、１３、１４、２０、３０、４０、４１、４２、４３、４４、４５、４６、４７等の組合わせ及び配置を適宜変更すること。
（２）客室装備用ユニットとして、上記以外にも、例えば、ゲーム機、キッチン装置、事務机、パソコンセット等を採用すること。
【００３０】
（３）観光バス以外の他にも、乗客を輸送する鉄道車輌、航空機、船舶等の各種乗物に具体化すること。
（４）水蒸気Ｖを噴霧する水蒸気噴霧器２５に代えて、ドライアイスからの発生ガスを放出する装置を設けること。
【００３１】
（５）ユニット取付用金具４９を、乗物以外の建築物や建造物等の被取付物にユニットを取り付けるために使用すること。
【００３３】
【発明の効果】
本発明に係る客室デザイン可変式乗物によれば、座席、テーブル、クローゼット、戸棚、ステージ、カラオケ装置、演奏装置、前記自然景観ユニット等の客室装備を、客室にワンタッチで取付けたり取外したりすることができ、もって客室デザインの変更を容易かつ迅速に行うことができるという優れた効果を奏する。
【図面の簡単な説明】
【図１】本発明の実施形態に係る観光バスの客室を和風客室デザインに変更した状態を示す斜視図である。
【図２】同状態を示す平面図である。
【図３】同和風客室デザインにおける滝ユニットの断面図である。
【図４】同和風客室デザインにおける小川ユニットの斜視図である。
【図５】同和風客室デザインにおける木製座席の支持枠を示す斜視図である。
【図６】本発明の実施形態に係る観光バスの客室を洋風客室デザインに変更した状態を示す斜視図である。
【図７】同状態を示す平面図である。
【図８】同観光バスにおける各客室装備用ユニットの取付構造を示し、その第１段階を示す斜視図である。
【図９】同取付構造の第２段階を示す斜視図である。
【図１０】同取付構造の第３段階を示す斜視図である。
【図１１】同第３段階の断面図である。
【図１２】同取付構造の第４段階を示す斜視図である。
【図１３】同第４段階の断面図である。
【図１４】同取付構造の支持プレートを示す斜視図である。
【符号の説明】
１    観光バス
２Ｈ  後半床部
２Ｌ  左床部
２Ｍ  中央床部
２Ｒ  右床部
３    後壁
６    係止片
７    空間
１０    背当傾倒式座席
１１    戸棚
１２    クローゼット
１４    テーブル
２０    滝ユニット
３０    小川ユニット
４０    ステージ台
４１    ロングソファー
４２    テーブル
４５    座席
４６    背当傾倒式
４７    テーブル
４９    ユニット取付用金具
５０    下部フレーム
５１    取付プレート
５２    貫通孔
５３    支持レール
５４    スリット
５５    支持プレート
５６    透孔
６０    レバー式締付具
６１    軸部
６２    係止部
６３    レバー
Ｖ    水蒸気
Ｗ    水
【図１】
0003626859.tif 000002
【図２】
0003626859.tif 000003
【図３】
0003626859.tif 000004
【図５】
0003626859.tif 000005
【図４】
0003626859.tif 000006
【図６】
0003626859.tif 000007
【図７】
0003626859.tif 000008
【図８】
0003626859.tif 000009
【図９】
0003626859.tif 000010
【図１０】
0003626859.tif 000011
【図１１】
0003626859.tif 000012
【図１２】
0003626859.tif 000013
【図１３】
0003626859.tif 000014
【図１４】
0003626859.tif 000015